(57)【要約】【課題】接続するデジタル一眼レフカメラの機種を限定せずに、かつ眼底カメラの撮影遅延時間及びファインダの消失時間を最短にする。【解決手段】眼底カメラのクイックリターンミラーの遅延時間Ｔ０、デジタル一眼レフカメラのリモートレリーズ遅延時間Ｔ１をセットして、これらの大小を比較する。遅延時間Ｔ０が大きければ、時間差Ｔａに差をセットしてクイックリターンミラーを駆動する。  リモートレリーズ遅延時間Ｔ１が大きければ同様に時間差Ｔａをセットして、リモートレリーズ信号を出力し、時間差Ｔａの経過後にＸ接点信号をＯＮする。Ｘ接点信号Ｓ２がＯＮされると、クイックリターンミラー退避信号のＯＮを確認して撮影用光源を発光する。Ｘ接点信号及びクイックリターンミラー退避信号のＯＮを待つ処理には待ち時間に制限を加えており、所定時間に信号が入力しない場合はエラー処理を行い、撮影用光源は発光しない。【選択図】図５
2008142233.tif 000002
【特許請求の範囲】
【請求項１】
着脱可能な撮像装置に被検眼からの光束を導くための撮影光路と、被検眼を観察するために被検眼の光束を観察するための観察光路とを切換える光路切換手段と、
該光路切換手段の遅延時間に関する情報を取得する第１の遅延時間取得手段と、
前記撮像装置から前記撮像装置に関する情報を取得する情報取得手段と、
該情報取得手段によって取得された前記撮像装置に関する情報に対応する前記撮像装置のレリーズ遅延時間に関する情報を取得する第２の遅延時間取得手段と、
前記第１、第２の遅延時間取得手段の結果に基づいて、前記光路切換手段の駆動タイミングと前記撮像装置の撮影タイミングと撮影光源の発光タイミングとを調整する撮影タイミング調整制御手段とを備えたことを特徴とする眼科撮影装置。
【請求項２】
前記情報取得手段によって取得される前記撮像装置の情報は、前記撮像装置の種類に関する情報であることを特徴とする請求項１に記載の眼科撮影装置。
【請求項３】
前記第２の遅延時間取得手段は前記撮像装置の装着の検出に応じて、前記撮像装置のレリーズ遅延時間を測定することを特徴とする請求項１に記載の眼科撮影装置。
【請求項４】
着脱可能な撮像装置に被検眼からの光束を導くための撮影光路と、被検眼を観察するために被検眼の光束をファインダに導く観察光路とを切換える光路切換手段と、
該光路切換手段の遅延時間に関する情報を取得する第１の遅延時間取得手段と、
前記撮像装置のレリーズ遅延時間を測定することにより、前記撮像装置のレリーズ遅延時間に関する情報を取得する第２の遅延時間取得手段と、
前記第１、第２の遅延時間取得手段の結果に基づいて、前記光路切換手段の駆動タイミングと前記撮像装置の撮影タイミングと撮影光源の発光タイミングとを調整する撮影タイミング調整制御手段とを備えたことを特徴とする眼科撮影装置。
【請求項５】
前記第２の遅延時間取得手段は前記撮影光源を発光せずに撮影を行い、前記遅延時間を測定することを特徴とする請求項４に記載の眼科撮影装置。
【請求項６】
前記第２の遅延時間取得手段は、起動時に前記撮像装置のシャッタ速度を通常撮影時よりも遅く設定して撮影を行い、前記撮像装置のレリーズ遅延時間を測定することを特徴とする請求項４に記載の眼科撮影装置。
【請求項７】
前記撮影タイミング調整制御手段は前記第１、第２の遅延時間取得手段によって取得されたもののうち、遅延時間の長いものから順次に駆動を開始し、前記遅延時間の差分だけ駆動開始時間をずらすことを特徴とする請求項１又は請求項４に記載の眼科撮影装置。
【請求項８】
前記撮影タイミング調整制御手段は前記レリーズ遅延時間が短い方向に変化した場合に、前記撮像装置のレリーズタイミングを調整して前記撮影光源の発光タイミングを変化前と同一にすることを特徴とする請求項１又は請求項４に記載の眼科撮影装置。
【発明の詳細な説明】
【技術分野】
【０００１】
本発明は、眼科医院等において用いられ、被検眼の眼底を撮影する眼底カメラなどの眼科撮影装置に関するものである。
【背景技術】
【０００２】
従来から、眼底撮影には３５ｍｍフィルムやポラロイドフィルムなどのインスタントフィルムから成る銀塩フィルムが使われている。近年では、デジタル一眼レフカメラ（一眼レフレックスカメラ）の撮像素子の解像力や感度がフィルムとほぼ同等となり、眼底カメラに接続して使用されるようになっている。眼科撮影装置である眼底カメラにデジタルカメラを装着して撮影を行う場合の提案として、例えば特許文献１〜３が提案されている。
【０００３】
これらの文献中で開示されているデジタルカメラは、撮像素子が眼底カメラとの接続部の直後に配置されている型式であり、シャッタなどの機構ユニットがない型式である。特許文献４は汎用の安価なデジタルカメラを眼底カメラで使う場合の接続方法を提案しており、撮像素子の前方にシャッタとレンズ機構を有するコンパクトタイプなデジタルカメラを眼底カメラと接続して、撮影を行うことが開示されている。
【０００４】
従来では、デジタル一眼レフカメラを眼底カメラに接続して撮影を行う際には、デジタル一眼レフカメラにはレリーズボタンの他に、外部からリモート撮影を行うためのリモートレリーズ端子を備えている。眼底カメラから撮影時にリモートレリーズ信号を出力すると、デジタル一眼レフカメラは各回路ブロック毎への通電処理、初期化、測光制御などの初期動作を行い、ストロボ同期速度でフォーカルプレーンシャッタが駆動される。
【０００５】
シャッタを開放し撮像素子が露光可能状態になると、Ｘ接点端子からＸ接点信号が出力されるので、この信号を眼底カメラに戻す。眼底カメラはＸ接点信号を待って、その信号がオンの期間中にキセノン管を発光させ眼底撮影を行う。キセノン管の発光時には、眼底カメラ内のクイックリターンミラー及びデジタル一眼レフカメラ内のクイックリターンミラーが共に跳ね上がり、撮影光路上から退避する必要がある。
【０００６】
また、一眼レフカメラにリモートレリーズ信号を出力してからＸ接点信号が戻るまでの時間は、一眼レフカメラの機種により大幅に異なり、１００〜２５０ｍｓ程度である。眼底カメラのクイックリターンミラーによって撮影者の観察光路と撮影光路を切換えているので、クイックリターンミラーが駆動されている間は、撮影者は眼底を観察することはできなくなる。このことから、デジタル一眼レフカメラへのリモートレリーズ信号を出力するタイミングについては、次の２つの方法が採用されている。
【０００７】
（１）眼底カメラのクイックリターンミラーを駆動し、ミラーが光路から退避したことを検知してからリモートレリーズ信号を出力する。
【０００８】
（２）使用するデジタル一眼レフカメラの機種を特定して、リモートレリーズ遅延時間を事前に求めておく。
【０００９】
眼底カメラのクイックリターンミラーの光路からの退避時間つまりクイックリターンミラー遅延時間を測定する。一眼レフカメラのリモートレリーズ遅延時間がクイックリターンミラーの遅延時間よりも遅い場合には、撮影スイッチと同時にリモートレリーズ信号を出力して、両者の差分時間後に眼底カメラのクイックリターンミラーを駆動するように設定する。また、眼底カメラのクイックリターンミラーの遅延時間が一眼レフカメラのリモートレリーズ遅延時間よりも遅い場合がある。この場合には、撮影スイッチと同時にクイックリターンミラーを駆動して、両者の差分時間後に一眼レフカメラのリモートレリーズ信号を出力するように設定する。
【００１０】
【特許文献１】特開平８−２９９２７７号公報
【特許文献２】特開平１０−１７９５２３号公報
【特許文献３】特開平１１−３１３８００号公報
【特許文献４】特開２０００−１０７１３４号公報
【発明の開示】
【発明が解決しようとする課題】
【００１１】
前述の（１）の方法では、眼底カメラの撮影スイッチを押してから撮影光源発光までの時間が、眼底カメラのクイックリターンミラーの動作時間とデジタル一眼レフカメラのリモートレリーズ遅延時間の和になる。従って、撮影スイッチを押してから撮影光が得られるまでの撮影遅延時間が長いため、被検眼が動いて撮影失敗の確率が高くなる。
【００１２】
更に、複数枚を連続して撮影する際に、ファインダから眼底が観察不能になる時間つまりファインダ消失時間も増え、ピント合わせやアライメント操作がし難くなる問題もある。しかし、リモートレリーズ遅延時間のばらつきには影響されないため、デジタル一眼レフカメラの機種を特定しない利点もあるが、撮影の成功率、操作性の観点から有効ではない。
【００１３】
図９は従来例のタイミングチャート図であり、Ｔ０は眼底カメラのクイックリターンミラーの遅延時間である。また、Ｔ１はリモートレリーズ遅延時間、Ｔ３はクイックリターンミラー駆動信号をＯＦＦしてからミラーが復帰位置に戻るまでの時間、Ｔ４は撮影スイッチを押してからキセノン管が発光するまでの遅延時間、Ｔ５はファインダ消失時間である。撮影スイッチが押される（ＯＮ）と、眼底カメラのクイックリターンミラーを駆動（ＯＮ）する。クイックリターンミラーは復帰位置（観察時の位置でＯＮ）から退避位置（撮影時の位置）に移動し始め、Ｔ０時間後に退避位置に達するとクイックリターンミラー退避信号がＯＮする。このタイミングで、一眼レフカメラにリモートレリーズ信号を出力する（ＯＮ）すると、Ｔ１時間後にＸ接点信号（ＯＮ）が戻るので、キセノン管を発光する。
【００１４】
この方法によると、クイックリターンミラーの遅延時間にばらつきがあっても、或いはデジタル一眼レフカメラの機種によるリモートレリーズ遅延時間にばらつきがあっても、撮影そのものには問題はない。しかし、両者の遅延時間の和だけ、撮影スイッチを押してから撮影が完了するまでの応答時間（撮影遅延時間）が長くなる問題がある。
【００１５】
（２）の方法では、使用途中で異なるリモートレリーズ遅延時間のデジタル一眼レフカメラを、ユーザが接続して使う場合に問題が生ずる場合がある。リモートレリーズ遅延時間がクイックリターンミラーの遅延時間よりも短く設定された眼底カメラに、リモートレリーズ遅延時間が遅い一眼レフカメラを接続すると、クイックリターンミラーが光路から退避してから遅延してＸ接点信号が戻る。従って、眼底カメラの撮影遅延時間が延長され、撮影者のファインダから眼底が見えなくなるファインダ消失時間も延長されることになる。
【００１６】
また、リモートレリーズ遅延時間Ｔ１よりも短い一眼レフカメラを接続すると、眼底カメラのクイックリターンミラーが光路から退避する前にＸ接点信号が戻り、その後に眼底カメラのクイックリターンミラーが光路から退避する。従って、キセノン管の発光時に一眼レフカメラのシャッタが閉じてしまい、撮影が失敗することになる。
【００１７】
デジタル一眼レフカメラは機種が多く、しかも１〜２年毎に新機種が発売され価格も安価になり、しかも内部処理も高速化しているため、リモートレリーズ遅延時間もより短くなる傾向がある。デジタル一眼レフカメラの機種が限定された眼底カメラでは、ユーザは予備のために複数台のデジタル一眼レフカメラを持たねばならない経済的な問題も生ずる。
【００１８】
図１０は同様に従来例のタイミングチャート図であり、眼底カメラのクイックリターンミラーの遅延時間Ｔ０とデジタル一眼レフカメラのリモートレリーズ遅延時間Ｔ１は図９で説明したものと同じである。撮影スイッチが押される（ＯＮ）と、眼底カメラのクイックリターンミラーを駆動（ＯＮ）し、次にＴａ＝Ｔ１−Ｔ０だけ遅れてリモートレリーズをＯＮする。Ｔ１時間後にＸ接点信号がＯＮし、眼底カメラのクイックリターンミラーも退避しているので、キセノン管を発光させて撮影を行う。
【００１９】
この方法では（１）の方法に比べて、キセノン管の撮影遅延時間Ｔ４やファインダ消失時間Ｔ５が短くなる利点があるが、それはデジタル一眼レフカメラの機種を限定した場合に限られる。図１０で、Ｔ０―Ｔａよりもリモートレリーズ遅延時間Ｔ１が短いデジタル一眼レフカメラを取り付けた場合には、撮影光束にクイックリターンミラーが掛かる問題が生ずる。
【００２０】
本発明の目的は、上述の課題を解消し、接続できるデジタル一眼レフカメラの機種を限定せずに、しかも眼底カメラの撮影遅延時間及びファインダの消失時間を最短にできる眼底撮影装置を提供することにある。
【課題を解決するための手段】
【００２１】
上記目的を達成するための本発明に係る眼科撮影装置の技術的特徴は、着脱可能な撮像装置に被検眼からの光束を導くための撮影光路と、被検眼を観察するために被検眼の光束を観察するための観察光路とを切換える光路切換手段と、該光路切換手段の遅延時間に関する情報を取得する第１の遅延時間取得手段と、前記撮像装置から前記撮像装置に関する情報を取得する情報取得手段と、該情報取得手段によって取得された前記撮像装置に関する情報に対応する前記撮像装置のレリーズ遅延時間に関する情報を取得する第２の遅延時間取得手段と、前記第１、第２の遅延時間取得手段の結果に基づいて、前記光路切換手段の駆動タイミングと前記撮像装置の撮影タイミングと撮影光源の発光タイミングとを調整する撮影タイミング調整制御手段とを備えたことにある。
【００２２】
また、本発明に係る眼科撮影装置の技術的特徴は、着脱可能な撮像装置に被検眼からの光束を導くための撮影光路と、被検眼を観察するために被検眼の光束をファインダに導く観察光路とを切換える光路切換手段と、該光路切換手段の遅延時間に関する情報を取得する第１の遅延時間取得手段と、前記撮像装置のレリーズ遅延時間を測定することにより、前記撮像装置のレリーズ遅延時間に関する情報を取得する第２の遅延時間取得手段と、前記第１、第２の遅延時間取得手段の結果に基づいて、前記光路切換手段の駆動タイミングと前記撮像装置の撮影タイミングと撮影光源の発光タイミングとを調整する撮影タイミング調整制御手段とを備えたことにある。
【発明の効果】
【００２３】
本発明に係る眼科撮影装置によれば、保守、管理のコスト、煩わしさを低減できるばかりではなく、眼底カメラとデジタル一眼レフカメラとを組み合わせても、最短な撮影遅延時間及び最小なファンダ消失時間で眼底撮影ができる。
【発明を実施するための最良の形態】
【００２４】
本発明の実施形態を図１〜図８に基づいて詳細に説明する。
図１は第１の実施形態の眼底カメラにデジタル一眼レフカメラを装着したときの構成図である。眼科撮影装置である眼底カメラ１０の後部に、カメラマウント４０を介して撮像装置としてのデジタル一眼レフカメラ５０が配置されている。眼底カメラ１０において、被検眼Ｅと対向する対物レンズ１１の背後の光路上には、孔あきミラー１２が設けられている。孔あきミラー１２の入射方向の光路上には、リレーレンズ１３、黒点板１４、リレーレンズ１５、リングスリット板１６、蛍光エキサイタフィルタ１７、ミラー１８が配列されている。更に、ミラー１８の入射方向には、コンデンサレンズ１９、キセノン管から成る撮影用光源２０、コンデンサレンズ２１、ハロゲンランプから成る観察用光源２２、凹面ミラー２３が配置されている。
【００２５】
孔あきミラー１２の背後には、フォーカスレンズ２４、蛍光バリアフィルタ２５、結像レンズ２６、クイックリターンミラー２７、デジタル一眼レフカメラ５０が配列されている。また、クイックリターンミラー２７の反射方向の光路上には、フィールドレンズ２８、ミラー２９、焦点板３０、ファインダレンズ３１が配置され、これらによってファインダが構成されている。
【００２６】
デジタル一眼レフカメラ５０内には、対物レンズ１１の背後の光路と同一光路上に、クイックリターンミラー５１、フォーカルプレーンシャッタ５２、二次元センサ５３が配置されている。また、クイックリターンミラー５１の反射方向には、ペンタプリズム５４、接眼レンズ５５が設けられている。
【００２７】
眼底カメラ１０とデジタル一眼レフカメラ５０は、上述のようにカメラマウント４０を介して着脱可能な機構によって固定されており、カメラマウント４０には着脱検知スイッチ４１が設けられている。カメラマウント４０が共通であるデジタル一眼レフカメラ５０であれば、カメラマウント４０から二次元センサ５３までの光学的な距離は同じであるため、機種を限定せずに接続することができる。
【００２８】
眼底カメラ１０には、眼底カメラ制御回路６１、撮影タイミング調整回路６２が内蔵され、撮影スイッチ６３を有する操作桿６４が付設され、デジタル一眼レフカメラ５０にはデジタルカメラ制御回路６５が内蔵されている。撮影用光源２０及び観察用光源２２には、それぞれ印加電圧制御手段を含む眼底カメラ制御回路６１の出力が接続されている。眼底カメラ制御回路６１からのリモートレリーズ信号Ｓ１はデジタルカメラ制御回路６５に接続され、デジタルカメラ制御回路６５からのＸ接点信号Ｓ２、カメラ情報信号Ｓ３は眼底カメラ制御回路６１に接続されている。眼底カメラ制御回路６１からのクイックリターンミラー制御信号Ｓ４はクイックリターンミラー２７に接続されている。更に、これらの信号Ｓ１〜Ｓ４は撮影タイミング調整回路６２に接続され、撮影タイミング調整回路６２の出力は眼底カメラ制御回路６１に接続され、操作桿６４の出力は眼底カメラ制御回路６１、撮影タイミング調整回路６２に接続されている。
【００２９】
観察時には、観察用光源２２を所定の明るさで点灯し、その光束は凹面ミラー２３での反射光束と共に左行し、コンデンサレンズ２１、１９を通りミラー１８で偏向される。更に、リングスリット板１６、リレーレンズ１５、黒点板１４、リレーレンズ１３を介して孔あきミラー１２上に集光されて反射され、対物レンズ１１を経て眼底Ｅｒを照明する。被検眼Ｅの眼底Ｅｒからの反射光束は同じ光路を通り、孔あきミラー１２の中心開口部を右行し、フォーカスレンズ２４、結像レンズ２６を通りクイックリターンミラー２７で反射され観察光路に導かれる。そして、観察光路ではファインダレンズ３１を経て眼底像として撮影者により観察される。撮影者は操作桿６４を使ってアライメント機構により位置合わせを行い、フォーカスノブを調整することで結像レンズ２６の位置を調節する。
【００３０】
撮影時には、操作桿６４上の撮影スイッチ６３を押下すると観察用光源２２が消灯する。同時に、眼底カメラ制御回路６１、デジタルカメラ制御回路６５の指令によりクイックリターンミラー２７、５１は上昇し、フォーカルプレーンシャッタ５２を開放し、撮影用光源２０が発光する。なお、蛍光撮影の際には、蛍光エキサイタフィルタ１７、蛍光バリアフィルタ２５は光路に挿入される。撮影用光源２０からの光束はコンデンサレンズ２１により集光されて左行し、ミラー１８で反射され、孔あきミラー１２のミラー部により反射され、対物レンズ１１を通り被検眼Ｅの瞳を介して眼底Ｅｒを照明する。
【００３１】
被検眼Ｅの眼底Ｅｒからの光束は、孔あきミラー１２の孔内の撮影絞り、フォーカスレンズ２４、結像レンズ２６を通り、デジタル一眼レフカメラ５０の二次元センサ５３に導くための撮影光路を通過する。そして、二次元センサ５３に結像し、二次元センサ５３で得られた眼底像データは、デジタルカメラ制御回路６５で画像処理が行われて画像データに変換され、図示しない記憶媒体や、外部に接続されたＰＣ（パーソナルコンピュータ）に転送される。
【００３２】
クイックリターンミラー２７の駆動をＯＮしてから、撮影光路側にその位置が達するまでの時間と、駆動をＯＦＦしてから待避終了までの時間を測定して、撮影タイミング調整回路６２内の不揮発性メモリに記録しておく。
【００３３】
図２はクイックリターンミラーの遅延時間を測定するフローチャート図である。タイマは撮影タイミング調整回路６２で使用しているＣＰＵ内にあるハードタイマを使っても、ソフト的に処理するタイマを使用してもよい。この測定動作は電源投入時に毎回行うか、例えば１週間程度期間ごとに行うようにしてもよいし、撮影ごとに測定して過去数回の最大値を求めて更新するようにしてもよい。
【００３４】
デジタル一眼レフカメラ５０のリモートレリーズ遅延時間Ｔ１は、眼底カメラ１０に装着する機種毎に異なるため、デジタル一眼レフカメラ５０からのカメラ情報信号Ｓ３を通じてデジタル一眼レフカメラ５０の種類に関する情報である機種名を取得する。予め、撮影タイミング調整回路６２のメモリに記憶してある各機種に対応するレリーズ遅延時間情報テーブルを参照して、リモートレリーズ遅延時間の値を取得する。
【００３５】
図３はデジタル一眼レフカメラ５０の機種名を取得するフローチャート図である。通常は起動時に取得し、その後はカメラマウント４０の着脱検知スイッチ４１からの装着の検出があると、再取得してタイミング調節を行う。前回着脱されたデジタル一眼レフカメラと機種が同一であっても個体差によるばらつきがあるので必ず再調整を行う。また、ＰＣと接続したシステムで運用する場合には、ＰＣに予め機種別の遅延時間情報を持ち、ＰＣが現在装着されているデジタル一眼レフカメラ５０の機種情報を取得して、相当するレリーズ遅延時間を眼底カメラ１０に通知するようにしてもよい。
【００３６】
このようにして、クイックリターンミラー２７の遅延時間Ｔ０と接続されたデジタル一眼レフカメラ５０の遅延時間が分かると、両者を比較して差を求める。撮影時に撮影スイッチ６３が押下されると、先ず遅延時間の遅い方を先に駆動する。
【００３７】
例えば、図４はリモートレリーズ遅延時間Ｔ１の方が遅い場合のタイミングチャート図である。撮影スイッチ信号が入ると、撮影タイミング調整回路６２の情報からリモートレリーズをＯＮする。リモートレリーズ遅延時間Ｔ１からクイックリターンミラー遅延時間Ｔ０を引いた時間差Ｔａだけ遅れてクイックリターンミラー駆動信号をＯＮする。
【００３８】
撮影スイッチ信号から時間Ｔ１の後にＸ接点信号Ｓ２が入力され、この時点でクイックリターンミラー退避信号を確認し、退避が完了しているので撮影用光源２０を発光させる。ＴｘｅはＸ接点信号Ｓ２が入力されてから撮影用光源２０が発光するまでの遅延時間であり、Ｘ接点信号Ｓ２を確認してからクイックリターンミラー退避信号を確認し、撮影用光源２０の発光信号を出力するまでの処理時間である。発光時間は眼底カメラ１０に使用する撮影用光源２０の形状で定まり、通常は５〜７ｍｓである。この発光時間を考慮してからクイックリターンミラー駆動信号をＯＦＦすると、時間Ｔ３の後にクイックリターンミラー２７は復帰位置に戻り、撮影者による眼底Ｅｒの観察が可能になる。
【００３９】
図５は撮影タイミングを調整制御するフローチャート図である。眼底カメラ１０のクイックリターンミラー２７の遅延時間Ｔ０、デジタル一眼レフカメラ５０のリモートレリーズ遅延時間Ｔ１をセットして、これらの大小を比較する。遅延時間Ｔ０が大きければ、時間差Ｔａに差をセットしてクイックリターンミラー２７を駆動する。
【００４０】
リモートレリーズ遅延時間Ｔ１が大きければ同様に時間差Ｔａをセットして、リモートレリーズ信号Ｓ１を出力し、時間差Ｔａの経過後にＸ接点信号Ｓ２をＯＮする。Ｘ接点信号Ｓ２がＯＮされると、クイックリターンミラー退避信号のＯＮを確認して撮影用光源２０を発光する。Ｘ接点信号Ｓ２及びクイックリターンミラー退避信号のＯＮを待つ処理には、待ち時間に制限を加えており、所定時間に信号が入力しない場合はエラー処理を行い、撮影用光源２０は発光しない。
【００４１】
また、フローチャート図には図示を省略しているが、この撮影処理においてもクイックリターンミラー２７の遅延時間Ｔ０とデジタル一眼レフカメラ５０のリモートレリーズ遅延時間Ｔ１の測定も同時に行われる。
【００４２】
クイックリターンミラー退避時間のばらつきが多少延びた場合には、クイックリターンミラー退避信号（２）は図４に示すように遅れることになる。このような場合に、撮影タイミング調整回路６２はＸ接点がＯＮである時間Ｔ２の期間中に、発光時間が入るかどうか判断して、入る場合には撮影用光源２０を発光させてからクイックリターンミラー駆動信号をＯＦＦするように制御する。
【００４３】
また、蛍光撮影では短時間に連続的に撮影を行うため、クイックリターンミラー２７を駆動するソレノイドが発熱して、トルクが低下してクイックリターンミラー２７の動作速度が遅くなる。また、経年変化によっても回転機構部の磨耗や埃の付着などによっても動作速度が遅くなる。そのため、過去３〜５回程度の撮影の最も長い遅延時間を使用するようにするとよい。このように、撮影タイミングを調整することで、従来例と比べて撮影遅延時間Ｔ４及びファインダ消失時間Ｔ５も短くすることができる。
【００４４】
図６は別の実施例についてのタイミングチャート図である。眼底カメラ１０のクイックリターンミラー２７の遅延時間Ｔ０は上述した何れかの方法で求める。デジタル一眼レフカメラ５０のリモートレリーズ遅延時間Ｔ１を想定できる範囲内で最も短い値を時間Ｔ１として決めておき、例えば２０ｍｓとする。また、眼底カメラ１０の起動時にカメラ情報信号Ｓ３でデジタル一眼レフカメラ５０のシャッタ速度を、通常の発光同期速度として想定される予め定められた速度から遅くする。この遅延時間をＴ２とすると、次の関係式を満足すればよい。
Ｔ１＋Ｔ２≧Ｔ０＋Ｔｘｅ＋撮影用光源２０の発光時間
【００４５】
Ｘ接点信号Ｓ２から発光するまでの遅延時間Ｔｘｅは、上述したように各信号を確認して、撮影用光源２０への発光信号を処理する時間であるから、定数と見倣すことができる。撮影用光源２０の発光時間も同様に５〜７ｍｓなので、定数と見倣すことができ、遅延時間Ｔ２は次式で求めることができ、これを満足するシャッタ速度に変更すればよい。
Ｔ２≧Ｔ０＋Ｔｘｅ＋撮影用光源２０の発光時間−Ｔ１
【００４６】
例えば、Ｔｘｅ＝１ｍｓ、撮影用光源２０の発光時間＝７ｍｓ、Ｔ０＝５０ｍｓとすると、Ｔ１＝２０ｍｓであるから、右辺は５８ｍｓ−２０ｍｓ＝３８ｍｓとなり、シャッタ速度を１／１５秒（６６．７ｍｓ）に変更する。
【００４７】
撮影スイッチ６３を押すと、クイックリターンミラー２７とリモートレリーズをＯＮする。仮に、想定したリモートレリーズ遅延時間Ｔ１でＸ接点信号Ｓ２が戻っても、クイックリターンミラー退避信号がＯＮするまでの時間Ｔ０に達すると、時間Ｔｘｅ遅れて撮影用光源２０が発光する。
【００４８】
デジタル一眼レフカメラ５０のリモートレリーズ遅延時間Ｔ１が想定よりも遅く、Ｘ接点（２）のタイミングになっても、時間Ｔ０の経過後に正常に発光する。更に、Ｘ接点（３）のタイミングのように延びても、このタイミングではクイックリターンミラー２７の遅延時間Ｔ０以降であるから、クイックリターンミラー退避信号はＯＮであるため、撮影用光源２０を発光する。発光時間経過後に、クイックリターンミラー駆動信号をＯＦＦするように制御する。このとき、リモートレリーズ遅延時間Ｔ１を計測して、次回の撮影からは通常のシャッタ速度に戻して撮影を行う。
【００４９】
また別の実施例では、眼底カメラ１０の電源起動時にデジタル一眼レフカメラ５０に対してリモートレリーズ信号Ｓ１を送り、Ｘ接点信号Ｓ２がＯＮするまでの時間を測定する。このとき、同時に眼底カメラ１０のクイックリターンミラー２７を駆動し、遅延時間Ｔ０を計測してもよい。このシーケンスでは撮影用光源２０は発光させないようにする。
【００５０】
図７はデジタル一眼レフカメラ５０のレリーズ遅延時間を測定する場合のフローチャート図を示す。リモートレリーズ信号Ｓ１を出力すると同時に、タイマをスタートさせて、Ｘ接点信号Ｓ２がＯＮするとタイマを停止させて、リモートレリーズ遅延時間Ｔ１を測定する。
【００５１】
また、デジタル一眼レフカメラ５０のリモートレリーズ遅延時間Ｔ１の方が眼底カメラ１０のクイックリターンミラー２７の遅延時間Ｔ０よりも長い場合がある。この場合に、図８のタイミングチャート図で示すように、撮影スイッチ６３からクイックリターンミラー２７の駆動時間をＴａ＝Ｔ１−Ｔ０だけずらして駆動する。
【００５２】
この装置の撮影遅延時間Ｔ４が撮影に十分な速度であるとき、デジタル一眼レフカメラ５０を別な機種に変える場合がある。このとき、リモートレリーズ遅延時間Ｔ１が短く、仮に時間Ｔ１’とすると、上記で説明した場合では、時間Ｔ０と時間Ｔ１’を比較して遅いほうを先に駆動し差分だけずらして駆動するようにする。
【００５３】
しかし、撮影者が撮影遅延時間Ｔ４の応答に慣れていると、ここでそのタイミングが変わると感覚的に操作し難く感ずることがある。このときはリモートレリーズ（２）で示すようにＴｂ＝Ｔ１−Ｔ１’だけ、図示しない切換えスイッチの設定によりリモートレリーズ遅延時間をずらして出力する。これによりＸ接点信号Ｓ１は交換する前のデジタル一眼レフカメラ５０と同じタイミングになり、違和感なく撮影ができる。
【図面の簡単な説明】
【００５４】
【図１】眼科撮影装置の構成図である。
【図２】クイックリターンミラーの遅延時間を測定するフローチャート図である。
【図３】機種名を取得するフローチャート図である。
【図４】タイミングチャート図である。
【図５】撮影タイミングを調整制御するフローチャート図である。
【図６】別の実施例のタイミングチャート図である。
【図７】レリーズ遅延時間を測定するフローチャート図である。
【図８】タイミングチャート図である。
【図９】従来例のタイミングチャート図である。
【図１０】従来例のタイミングチャート図である。
【符号の説明】
【００５５】
１０  眼底カメラ
１１  対物レンズ
１２  孔あきミラー
２０  撮影用光源
２２  観察用光源
２７、５１  クイックリターンミラー
３１  ファインダレンズ
４０  カメラマウント
４１  着脱検知スイッチ
５０  デジタル一眼レフカメラ
５３  二次元センサ
６１  眼底カメラ制御回路
６２  撮影タイミング調整回路
６３  撮影スイッチ
６４  操作桿
６５  デジタルカメラ制御回路
【図１】
2008142233.tif 000003
【図２】
2008142233.tif 000004
【図３】
2008142233.tif 000005
【図４】
2008142233.tif 000006
【図５】
2008142233.tif 000007
【図６】
2008142233.tif 000008
【図７】
2008142233.tif 000009
【図８】
2008142233.tif 000010
【図９】
2008142233.tif 000011
【図１０】
2008142233.tif 000012